(57)【要約】【課題】光線が不足する場所や暗い環境下で自動的にスイッチ全体内部及び周縁部位が適度な明度の局部照明を形成し、使用者がボタンスイッチ及び周縁の位置を確認でき、むやみに触れることによる壁の汚れを防ぐことができるスイッチカバーの提供。【解決手段】囲み座体１、カバー板３、制御回路２を含み、囲み座体１は壁面上のボタンスイッチ４１位置の周縁に固定され、その中央に配線ボックスに対応する配線孔１１が設けられ、電源ワイヤ及び制御ワイヤを外部に向かって伸出しボタンスイッチ４１に接続することができ、カバー板３は囲み座体１の表側を覆って位置決め固定され、その中央にスイッチ装置４を組み込むことができ、制御回路２は囲み座体１とカバー板３の間に設置され、光センサ２１による外界の光線感知の結果を受け取り囲み座体１の配線孔１１周縁に設けた複数の光源体２２を駆動して発光させることができる。【選択図】図２
0003124655.tif 000002
【実用新案登録請求の範囲】
【請求項１】
少なくとも、囲み座体と、カバー板と、制御回路を含み、そのうち、前記囲み座体は壁面上のボタンスイッチ位置の周縁に固定され、その中央に配線ボックスに対応する配線孔が設けられ、電源ワイヤ及び制御ワイヤを外部に向かって伸出し前記ボタンスイッチに接続することができ、前記カバー板は前記囲み座体の表側を覆って位置決め固定され、且つ、前記カバー板の中央にはスイッチ装置を組み込むことができ、前記制御回路は、前記囲み座体とカバー板の間に設置され、光センサによる外界の光線感知の結果を受け取り前記囲み座体の配線孔周縁に設けた複数の光源体を駆動して発光させることができ、光線が不足している場所や暗い環境下で自動的に局部照明を形成することを特徴とする、スイッチカバー。
【請求項２】
前記囲み座体、カバー板の少なくともいずれかが透光性を備えていることを特徴とする、請求項１に記載のスイッチカバー。
【考案の詳細な説明】
【技術分野】
【０００１】
本考案はスイッチカバーの改良構造に関し、特に、補助照明及び多様なデザインのボタンスイッチカバー板を組み合わせたスイッチカバーに関する。
【背景技術】
【０００２】
従来のボタンスイッチ及びそのカバー板の構造は、図１に示すように、少なくとも１つのボタンスイッチ４１をスイッチ取り付け枠４２上の予め定めた位置に設け、且つ、前記スイッチ取り付け枠４２を（ネジで）壁面上の配線ボックス外側に固定し、さらに中央にスイッチ挿入孔４３１を有するスイッチカバー板４３を前記スイッチ取り付け枠４２上に嵌め込み、これにより前記ボタンスイッチ４１が外部に露出されると同時にその周囲が遮蔽される。光線が不足している場所や暗い環境下で前記ボタンスイッチ４１の位置を表示するために、比較的進んだボタンスイッチの構造には、前記ボタンスイッチ４１上に別途表示光源４１１を設け、前記ボタンスイッチ４１の電源が切られたときに若干の光線を発させて使用者が光線の不足している場所や暗い環境下で前記ボタンスイッチ４１の位置を確認することができるようにしたものがあり、実用性を前提として美観効果も得ることができる。
【０００３】
しかしながら、上述のような従来のボタンスイッチ及びそのカバー板の構造は、実際の応用上において次のような欠点がある。
1.      従来の表示光源４１１は光線が非常に微細であり、該前記ボタンスイッチ４１の位置を示すことができるのみであり、前記ボタンスイッチ４１（ひいてはスイッチ全体）の周縁部分を表示することはできず、各使用者は光線が不足している場所や暗い環境下で前記ボタンスイッチ４１、スイッチカバー板４３の周囲を手さぐりしなければならず、このためスイッチカバー板４３周囲の壁面が触れられて汚れてしまうことがよくあり、視覚的美観に大きく影響する。
2.      従来のボタンスイッチはその機能が電源のオン/オフ切換え機能のみに限られ、その他付加的装置はなく、その応用機能上制限を受け、製品の競争力を向上しにくい。
3.      従来のボタンスイッチは、壁面内の配線ボックスの形状に合わせるため、そのほとんどのスイッチカバー板４３が（長）方形に設計されており、形状上も変化に乏しく、製品の競争力を向上しにくい。
【０００４】
従来のボタンスイッチ及びそのカバー板の構造には上述のような欠点があることに鑑みて、本考案はこれら欠点を改善すべく生まれたものである。
【考案の開示】
【考案が解決しようとする課題】
【０００５】
本考案の主な目的は、光線が不足している場所や暗い環境下で自動的にスイッチ全体内部及び周縁部位が適度な明度の局部照明を形成し、使用者がボタンスイッチ及び周縁の位置を確認でき、使用者がむやみに触れることによる壁の汚れを回避することができる、スイッチカバーを提供することにある。
【０００６】
本考案の別の目的は、ナイトランプの機能を備え、光線が不足している場所や暗い環境下での局部照明に利用でき、効果的にその応用上の変化を増進する、スイッチカバーを提供することにある。
【０００７】
本考案のさらに別の目的は、全体の外観をさまざまな形状に設計することができ、デザインの変化が可能で製品の競争力を向上する、スイッチカバーを提供することにある。
【課題を解決するための手段】
【０００８】
上述の目的及び効果を達成するため、本考案が採用する技術的手段は、囲み座体と、カバー板と、制御回路とを含み、そのうち、前記囲み座体は壁面上のボタンスイッチ位置周縁に固定され、その中央に配線ボックスに対応する配線孔を備え、電源ワイヤ及び制御ワイヤを外部に向かって伸出しボタンスイッチに接続することができ、前記カバー板は前記囲み座体上に被せて固定され、表側を遮蔽すると共に、その中央はスイッチ装置と結合させることができ、前記制御回路は前記囲み座体とカバー板の間に設置され、光センサによる外界光線の感知結果を受けて前記囲み座体の配線孔周縁に設置された複数の光源体を駆動して発光させ、光線が不足している場所や暗い環境下で自動的に局部照明を形成する。
【考案を実施するための最良の形態】
【０００９】
本考案の詳細な構造、応用原理、作用、効果について完全な理解を促すため、以下、図面に基づき説明する。
【００１０】
図１に示す従来のボタンスイッチ及びそのカバー板の構造における主要な構成及びその欠点はすでに述べたため、ここでは説明を省略する。
【実施例１】
【００１１】
図２に本考案の実施例１の構造分解図、図３に全体の立体斜視図、図４に側面断面図をそれぞれ示す。これらの図からわかるように、本考案の実施例１の構造は、現有の外部のスイッチ装置４と組み合わせて使用する場合、主に、囲み座体１、制御回路２及びカバー板３等を含み、そのうち、前記囲み座体１はその周縁部に透光壁面１５（透明やフロスト面）が設けられ、この透光壁面１５上には複数の位置決め孔１３が形成され、且つ、この透光壁面１５内の隅には複数の固定孔１４が開設され、予め準備した固定部材（例：ネジ）をこの固定孔１４に挿通して壁面上のボタンスイッチ位置周縁に固定することができる。前記囲み座体１の中央には壁内に設置された配線ボックスに対応する配線孔１１が開設され、配線ボックス内の電源ワイヤ及び制御ワイヤを外部に向かって延伸することができ、この配線孔１１周縁には複数のネジ孔１２１を備えた固定座部１２が設けられ、複数の固定ネジ４２１をスイッチ装置４のスイッチ取り付け枠４２に挿通した後、このネジ孔１２１にねじ込み、スイッチ取り付け枠４２を前記配線孔１１の前方に固定することができる。前記スイッチ取り付け枠４２上には少なくとも１つのボタンスイッチ４１が設けられ、前述の電源ワイヤ及び制御ワイヤと電気的に接続が形成され、中央にスイッチ挿入孔４３１を備えたスイッチカバー板４３が前記スイッチ取り付け枠４２の前方に被せられ、且つ、前記ボタンスイッチ４１が前記スイッチ挿入孔４３１から外部に露出される。前記制御回路２は前記囲み座体１の配線孔１１のそばに設置され、その上に外界の光線を感知可能な光センサ２１が設けられ、前記制御回路２の出力端は複数の光源体２２（発光ダイオード（ＬＥＤ）とすることができる）に接続され、これら光源体２２を制御することができ、且つ、これら複数の光源体２２は内側支持フレーム２２１を介して前記囲み座体１周縁の壁面内側に固定される。また、切換スイッチ２３を前記囲み座体１の外縁部に設置し、これにより前記制御回路２の電源を切断することができる。カバー板３は中央にスイッチパネル挿入孔３１が設けられ、且つ、前記スイッチパネル挿入孔３１のそばに前記制御回路２の光センサ２１に対応する貫通孔３２が形成され、カバー板３の外周縁には複数の鉤部３３が設置され、これら鉤部３３を囲み座体１周縁の位置決め孔１３内に嵌入して前記カバー板３と囲み座体１を結合させ、且つ、スイッチ装置４のスイッチカバー板４３をスイッチパネル挿入孔３１から外部に露出させることができる。
【００１２】
図５に本考案の実施例１の実施状態を示す。この図に示すように、使用時には前記制御回路２の光センサ２１がカバー板３の貫通孔３２を介して外界の光線を感知し、カバー板３外側が光線の不足している場所や暗い環境下であるとき、前記制御回路２が前記複数の光源体２２を駆動して発光させ、前記光源体２２の光線が少なくとも囲み座体１の透光壁面１５から外部に向かって発散され、これにより自動的に囲み座体１の周縁に局部照明が形成され、使用者がボタンスイッチ４１の位置を確認でき、使用者がむやみに触れることによる壁面の汚れを回避することができる。
【００１３】
本考案の上述カバー板３は一般的な非透光性の材質でつくることができるほか、透光性の材質でつくり、その全体に透光性を持たせ（透明やフロストなど）、前記光源体２２が発生する光線を柔らかく外部に向かって発散させ、基本的な局部照明の効果に加え、美観と装飾性を備えた装飾照明または夜間用のランプとしてもよく、幅広い範囲に応用することができる。また、照明光線が必要ない場合、切換スイッチ２３で前記制御回路２の電源を切り、前記光源体２２が発光できないようにすることもできる。
【実施例２】
【００１４】
図６に本考案の実施例２の構造分解図、図７に組み立て後の断面図をそれぞれ示す。本考案の実施例２の構造は、囲み座体１０、制御回路２及びカバー板３０等の部分を含み、そのうち、前記囲み座体１０の周縁には透光壁面１０５が設けられ、前記壁面上に複数の位置決め孔１０３が形成され、且つ、前記透光壁面１０５内の隅には複数の固定孔１０４が開設され、予め準備した固定部材（例：ネジ）をこの固定孔１０４に挿通して壁面上のボタンスイッチ位置周縁に固定することができる。前記囲み座体１０の中央には壁内に設置された配線ボックスに対応する配線孔１０１が開設され、配線ボックス内の電源ワイヤ及び制御ワイヤを外部に向かって延伸することができる。前記制御回路２は前記囲み座体１０の配線孔１０１のそばに設置され、その上に外界の光線を感知可能な光センサ２１が設けられ、前記制御回路２の出力端は複数の光源体２２（発光ダイオード（ＬＥＤ）とすることができる）に接続され、これら光源体２２を制御することができ、且つ、これら複数の光源体２２は内側支持フレーム２４を介して前記配線孔１０１の周縁に固定される。また、切換スイッチ２３を前記囲み座体１０の外縁部に設置し、これにより前記制御回路２の電源を切断することができる。カバー板３０はスイッチ装置４０と結合され、前記スイッチ装置４０上には必要に応じて異なるボタンスイッチ４０１やコンセント４０２を設置し、且つ、前記ボタンスイッチ４０１、コンセント４０２は配線孔１０１から伸出された電源ワイヤ及び制御ワイヤと電気的に接続される。前記カバー板３０は前記スイッチ装置４０のそばに前記制御回路２の光センサ２１に対応する貫通孔３０２が形成され、カバー板３０の外周縁には複数の鉤部３０３が設置され、これら鉤部３０３を囲み座体１０周縁の位置決め孔１０３内に嵌入して前記カバー板３０と囲み座体１０を結合させ、且つ、スイッチ装置４０を直接外部に露出させることができる。このように別の応用形態を形成することができる。
【００１５】
本実施例の使用形態は前述の実施例１と同じであるため、ここでは説明を省略する。
【実施例３】
【００１６】
図８に本考案の実施例３の実施状態の立体斜視図を示す。この図に示すように、前記囲み座体１００とカバー板３００は実際の応用上異なる形状で表現することができ、変化に富んだ外観デザインで製品の競争力を向上することができる。
【００１７】
上述から分かるように、本考案のスイッチカバーは確実に光線が不足している場所や暗い環境下で自動的に局部照明を発生することができ、且つ、異なる外観デザインを用いることが可能であり、産業上の利用性、新規性及び進歩性を備えていることは明白である。
【図面の簡単な説明】
【００１８】
【図１】従来のボタンスイッチ及びそのカバー板を示す立体斜視図である。
【図２】本考案の実施例１の立体分解図である。
【図３】本考案の実施例１の組み立て後の立体透視図である。
【図４】本考案の実施例１の組み立て後の側面断面図である。
【図５】本考案の実施例１の使用状態を示す立体斜視図である。
【図６】本考案の実施例２の立体分解図である。
【図７】本考案の実施例２の組み立て後の側面断面図である。
【図８】本考案の実施例３の立体斜視図である。
【符号の説明】
【００１９】
１    、１０  、１００  囲み座体
１１  、１０１          配線孔
３１                    スイッチパネル挿入孔
４３１                  スイッチ挿入孔
１２                    固定座部
１２１                  ネジ孔
１３  、１０３          位置決め孔
１４  、１０４          固定孔
１５                    透光壁面
２                      制御回路
２１                    光センサ
２２                    光源体
２２１、２４            内側支持フレーム
２３                    切換スイッチ
３    、３０  、３００  カバー板
３２  、３０２          貫通孔
３３  、３０３          鉤部
４    、４０            スイッチ装置
４０２                  コンセント
４１  、４０１          ボタンスイッチ
４１１                  表示光源
４２                    スイッチ取り付け枠
４２１                  固定ネジ
４３                    スイッチカバー板
【図１】
0003124655.tif 000003
【図２】
0003124655.tif 000004
【図３】
0003124655.tif 000005
【図４】
0003124655.tif 000006
【図５】
0003124655.tif 000007
【図６】
0003124655.tif 000008
【図７】
0003124655.tif 000009
【図８】
0003124655.tif 000010